(57)【特許請求の範囲】
【請求項１】
利用者が所持している情報処理端末から送信される、ゲートを通過するのに必要とされる通行IDを要求する通行ID要求情報を受信する受信手段と、
前記受信手段により受信された前記通行ID要求情報に基づいて前記ゲートの通行料金を算出する算出手段と、
前記算出手段により算出された前記通行料金の課金処理を行う課金手段と、
前記課金手段による課金処理結果に基づいて、前記通行IDを、前記情報処理端末の電話番号に対応付けて記憶する記憶手段と、
前記受信手段により受信された前記通行ID要求情報に応じて、前記情報処理端末に対して、前記記憶手段により前記情報処理端末の電話番号に対応付けて記憶された前記通行IDを送信する送信手段と、
前記利用者による、前記送信手段により送信されて前記情報処理端末に表示された前記通行ID、および、前記情報処理端末の電話番号の入力を受け付ける受付手段と、
前記受付手段により受け付けられた前記通行IDおよび前記電話番号が正当であるか否かを、前記通行IDおよび前記電話番号の組み合わせが、前記記憶手段により記憶されている通行IDと電話番号の組み合わせと一致するか否かによって判定する判定手段と、
前記判定手段による判定結果に基づいて、前記情報処理端末の利用者のゲートの通行を許可または不許可にする通行制御手段と
を含むことを特徴とする通行制御装置。
【請求項２】
前記通行IDは使用回数または金額情報を含み、
前記判定手段に前記通行IDおよび前記電話番号は正当であると判定されたとき、前記使用回数または前記金額情報を、前記ゲートの通行に応じて減算する減算手段をさらに含み、
前記判定手段は、前記減算手段により減算された前記使用回数または前記金額情報が、前記ゲートの通行に必要な分残っていないとき、前記通行IDおよび前記電話番号が正当でないと判定する
ことを特徴とする請求項１に記載の通行制御装置。
【請求項３】
通行制御装置の通行制御方法であって、
前記通行制御装置が、利用者が所持している情報処理端末から送信される、ゲートを通過するのに必要とされる通行IDを要求する通行ID要求情報を受信する受信ステップと、
前記通行制御装置が、前記受信ステップの処理により受信された前記通行ID要求情報に基づいて前記ゲートの通行料金を算出する算出ステップと、
前記通行制御装置が、前記算出ステップの処理により算出された前記通行料金の課金処理を行う課金ステップと、
前記通行制御装置が、前記課金ステップの処理による課金処理結果に基づいて、前記通行IDを、前記情報処理端末の電話番号に対応付けて記憶部に記憶させる記憶ステップと、
前記通行制御装置が、前記受信ステップの処理により受信された前記通行ID要求情報に応じて前記情報処理端末に対して、前記記憶ステップの処理により、前記情報処理端末の電話番号に対応付けて前記記憶部に記憶された前記通行IDを送信する送信ステップと、
前記通行制御装置が、前記利用者による、前記送信ステップの処理により送信されて前記情報処理端末に表示された前記通行ID、および、前記情報処理端末の電話番号の入力を受け付ける受付ステップと、
前記通行制御装置が、前記受付ステップの処理により受け付けられた前記通行IDおよび前記電話番号が正当であるか否かを、前記通行IDおよび前記電話番号の組み合わせが、前記記憶部に記憶されている通行IDと電話番号の組み合わせと一致するか否かによって判定する判定ステップと、
前記通行制御装置が、前記判定ステップの処理による判定結果に基づいて、前記情報処理端末の利用者のゲートの通行を許可または不許可にする通行制御ステップと
を含むことを特徴とする通行制御方法。
【発明の詳細な説明】
【０００１】
【発明の属する技術分野】
本発明は、通行制御装置および通行制御方法に関し、特に、例えば、テーマパークのゲート、高速道路のゲート、および駅の改札口等において、利用者が迅速に通行できるようにする通行制御装置および通行制御方法に関する。
【０００２】
【従来の技術】
従来、例えば、テーマパークのゲート、高速道路のゲート、および駅の改札口等において、利用者は、直接現金を支払ったり、購入した切符を提示することでゲートや改札口を通過している。
【０００３】
利用者が大勢いる場合、切符の購入または現金の支払いのために行列が発生し、ゲートの通過に長い時間がかかる。これを解決するための方法が、例えば、特開平１１−１１０５９３号公報に提案されている。
【０００４】
このシステムでは、自動車を運転している利用者が携帯電話機を用いて高速道路の料金精算装置と通信し、料金精算装置から受信したサインを、高速道路のゲートに対して、ヘッドライトの点滅を利用して入力するようにしている。また、最近、高速道路において、料金所をより迅速に自動車が通過できるようにするためのシステムとして、ETC（Electronic Toll Collection）システムの実験が進められている。
【０００５】
【発明が解決しようとする課題】
しかしながら、上記公報のシステムでは、ゲートに設置されているセンサに対してヘッドライトでサインを入力するようにしているため、サインの正確な検出が困難である課題があった。また、歩行者が利用することが困難である課題があった。さらに、ETCシステムは、自動車専用であり、歩行者のテーマパークのゲートの出入りを管理する場合等に適用することが困難である課題があった。
【０００６】
本発明は、このような状況に鑑みてなされたものであり、歩行者が迅速にゲートを通行できる、簡易で安価なシステムを実現できるようにするものである。
【０００７】
【課題を解決するための手段】
本発明の通行制御装置は、利用者が所持している情報処理端末から送信される、ゲートを通過するのに必要とされる通行IDを要求する通行ID要求情報を受信する受信手段と、受信手段により受信された通行ID要求情報に基づいてゲートの通行料金を算出する算出手段と、算出手段により算出された通行料金の課金処理を行う課金手段と、課金手段による課金処理結果に基づいて、通行IDを、情報処理端末の電話番号に対応付けて記憶する記憶手段と、受信手段により受信された通行ID要求情報に応じて、情報処理端末に対して、記憶手段により情報処理端末の電話番号に対応付けて記憶された通行IDを送信する送信手段と、利用者による、送信手段により送信されて情報処理端末に表示された通行ID、および、情報処理端末の電話番号の入力を受け付ける受付手段と、受付手段により受け付けられた通行IDおよび電話番号が正当であるか否かを、通行IDおよび電話番号の組み合わせが、記憶手段により記憶されている通行IDと電話番号の組み合わせと一致するか否かによって判定する判定手段と、判定手段による判定結果に基づいて、情報処理端末の利用者のゲートの通行を許可または不許可にする通行制御手段とを含むことを特徴とする。
【０００８】
前記通行制御装置は、例えば、図１の管理装置２により、または、管理装置２、ゲート制御装置３−１乃至３−３、および課金サーバ４の組み合わせにより、前記情報処理端末は、例えば、図１の通信端末１により、それぞれ構成される。
【００１０】
前記受信手段は、例えば、図３の管理装置２の通信部３６により、また、前記送信手段も、例えば、図３の通信部３６により、記憶手段も例えば図３の記憶部３７により、それぞれ構成される。前記算出手段は、例えば、図７のステップS２５の処理を実行する図３のCPU３１により、前記課金手段は、例えば、図７のステップS２５の処理を実行する図３のCPU３１、または、図１０のステップS５２の処理を実行する図５のCPU７１により、それぞれ構成することができる。前記受付手段は、例えば、図４の入力部５２から入力された通行許可情報としての、例えば、通行IDを、図３の通信部３６を介して取得し、例えば、図８のステップS３１の処理を実行するCPU３１により、前記判定手段は、例えば、図８のステップS３４の処理を実行する図３のCPU３１により、前記通行制御手段は、例えば、図８のステップS３５、S３６の処理を実行する図３の管理装置２のCPU３１、または、同様の処理を実行させるようにした場合における図４のゲート制御装置３の制御部５１により、それぞれ構成することができる。
【００１１】
本発明の通行制御装置においては、利用者が所持している情報処理端末から送信される、ゲートを通過するのに必要とされる通行IDを要求する通行ID要求情報が受信され、受信された通行ID要求情報に基づいてゲートの通行料金が算出され、算出された通行料金の課金処理が行われ、その課金処理結果に基づいて、通行IDが、情報処理端末の電話番号に対応付けて記憶され、受信された通行ID要求情報に応じて、情報処理端末に対して、その情報処理端末の電話番号に対応付けて記憶された通行IDが送信され、利用者による、送信されて情報処理端末に表示された通行ID、および、情報処理端末の電話番号の入力が受け付けられ、受け付けられた通行IDおよび電話番号が正当であるか否かが、通行IDおよび電話番号の組み合わせが、記憶されている通行IDと電話番号の組み合わせと一致するか否かによって判定され、その判定結果に基づいて、情報処理端末の利用者のゲートの通行が許可または不許可にされる。
【００１２】
本発明の通行制御装置によれば、利用者が所持している情報処理端末から送信される、ゲートを通過するのに必要とされる通行IDを要求する通行ID要求情報を受信し、受信した通行ID要求情報に基づいてゲートの通行料金を算出し、算出した通行料金の課金処理を行い、その課金処理結果に基づいて、通行IDを、情報処理端末の電話番号に対応付けて記憶し、受信した通行ID要求情報に応じて、情報処理端末に対して、その情報処理端末の電話番号に対応付けて記憶した通行IDを送信し、送信した利用者による、送信されて情報処理端末に表示された通行ID、および、情報処理端末の電話番号の入力を受け付け、受け付けた通行IDおよび電話番号が正当であるか否かを、通行IDおよび電話番号の組み合わせが、記憶されている通行IDと電話番号の組み合わせと一致するか否かによって判定し、その判定結果に基づいて、情報処理端末の利用者のゲートの通行を許可または不許可にするようにしたので、例えば、歩行者が、携帯電話機を利用して、テーマパークのゲートを速やかに通過することができる。
【００２３】
前記通行IDは使用回数または金額情報を含み、判定手段により通行IDおよび電話番号は正当であると判定されたとき、使用回数または金額情報を、ゲートの通行に応じて減算する減算手段をさらに含み、判定手段は、減算手段により減算された使用回数または金額情報が、ゲートの通行に必要な分残っていないとき、通行IDおよび電話番号が正当でないと判定するようにすることができる。
【００２４】
この場合、判定手段は、例えば、図２１のステップS１７２の処理を実行する図３のCPU３１により構成される。前記減算手段は、例えば、図２２のステップS１８５の処理を実行する図３のCPU３１により構成することができる。
【００２５】
本発明の通行制御装置の通行制御方法は、通行制御装置が、利用者が所持している情報処理端末から送信される、ゲートを通過するのに必要とされる通行IDを要求する通行ID要求情報を受信する受信ステップと、通行制御装置が、受信ステップの処理により受信された通行ID要求情報に基づいてゲートの通行料金を算出する算出ステップと、通行制御装置が、算出ステップの処理により算出された通行料金の課金処理を行う課金ステップと、通行制御装置が、課金ステップの処理による課金処理結果に基づいて、通行IDを、情報処理端末の電話番号に対応付けて記憶部に記憶させる記憶ステップと、通行制御装置が、受信ステップの処理により受信された通行ID要求情報に応じて、情報処理端末に対して、記憶ステップの処理により、情報処理端末の電話番号に対応付けて記憶部に記憶された通行IDを送信する送信ステップと、通行制御装置が、利用者による、送信ステップの処理により送信されて情報処理端末に表示された通行ID、および、情報処理端末の電話番号の入力を受け付ける受付ステップと、通行制御装置が、受付ステップの処理により受け付けた通行IDおよび電話番号が正当であるか否かを、通行IDおよび電話番号の組み合わせが、記憶部に記憶されている通行IDと電話番号の組み合わせと一致するか否かによって判定する判定ステップと、通行制御装置が、判定ステップの処理による判定結果に基づいて、情報処理端末の利用者のゲートの通行を許可または不許可にする通行制御ステップとを含むことを特徴とする。
【００２６】
前記通行制御装置は、例えば、図１の管理装置２により、または、管理装置２、ゲート制御装置３−１乃至３−３、および課金サーバ４の組み合わせにより、前記情報処理端末は、例えば、図１の通信端末１により、それぞれ構成される。
【００２８】
前記受信ステップは、例えば、図７のステップS２２の判定基準となる処理により、前記算出ステップは、例えば、図７のステップS２５により、前記課金ステップは、例えば、図７のステップS２５、または、図１０のステップS５２により、前記記憶ステップは、例えば、図８のステップS２９により、前記送信ステップは、例えば、図８のステップS３０により、前記受付ステップは、例えば、図８のステップS３１の判定基準となる処理により、前記判定ステップは、例えば、図８のステップS３４により、前記通行制御ステップは、例えば、図８のステップS３５、S３６により、それぞれ構成することができる。
【００２９】
本発明の通行制御装置の通行制御方法においては、通行制御装置によって、利用者が所持している情報処理端末から送信される、ゲートを通過するのに必要とされる通行IDを要求する通行ID要求情報が受信され、通行制御装置によって、受信された通行ID要求情報に基づいてゲートの通行料金が算出され、通行制御装置によって、算出された通行料金の課金処理が行われ、通行制御装置によって、その課金処理結果に基づいて、通行IDが、情報処理端末の電話番号に対応付けて記憶部に記憶され、通行制御装置によって、受信された通行ID要求情報に応じて、情報処理端末に対して、情報処理端末の電話番号に対応付けて記憶部に記憶された通行IDが送信され、通行制御装置によって、利用者による、送信されて情報処理端末に表示された通行ID、および、情報処理端末の電話番号の入力が受け付けられ、通行制御装置によって、受け付けられた通行IDおよび電話番号が正当であるか否かが、通行IDおよび電話番号の組み合わせが、記憶部に記憶されている通行IDと電話番号の組み合わせと一致するか否かによって判定され、通行制御装置によって、判定結果に基づいて、情報処理端末の利用者のゲートの通行が許可または不許可にされる。
【００３０】
本発明の通行制御装置の通行制御方法によれば、通行制御装置が、利用者が所持している情報処理端末から送信される、ゲートを通過するのに必要とされる通行IDを要求する通行ID要求情報を受信し、通行制御装置が、受信した通行ID要求情報に基づいてゲートの通行料金を算出し、通行制御装置が、算出した通行料金の課金処理を行い、通行制御装置が、その課金処理結果に基づいて、通行IDが、情報処理端末の電話番号に対応付けて記憶部に記憶され、通行制御装置によって、受信した通行ID要求情報に応じて、情報処理端末に対して、情報処理端末の電話番号に対応付けて記憶部に記憶された通行IDを送信し、通行制御装置が、送信した利用者による、送信されて情報処理端末に表示された通行ID、および、情報処理端末の電話番号の入力を受け付け、通行制御装置が、受け付けた通行IDおよび電話番号が正当であるか否かを、通行IDおよび電話番号の組み合わせが、記憶部に記憶されている通行IDと電話番号の組み合わせと一致するか否かによって判定し、通行制御装置が、判定結果に基づいて、情報処理端末の利用者のゲートの通行を許可または不許可にするようにしたので、例えば、歩行者が、携帯電話機を利用して、テーマパークのゲートを速やかに通過することができる。
【００６１】
【発明の実施の形態】
図１は、本発明を適用した通行制御システムの構成例を示すブロック図である。本発明を適用したゲート通行システムを、例えば、テーマパークのゲートに利用した場合について説明する。
【００６２】
利用者は、テーマパークのゲートから入場する場合、ゲートの通行の許可を求めるべく、自らが有している通信端末１を操作し、管理装置２と通信を行い、管理装置２が通行IDを発行するために必要な情報を送信する。通信端末１が送信する通行ID要求情報は、通信端末１の電話番号、通信端末１の固有ID、通信端末１の位置情報などを含んでいる。なお、通信端末１は、例えば、携帯電話機またはPHS（Personal Handy phone System）などにより構成される。
【００６３】
通信端末１の固有IDは、管理装置２が通信端末１を識別する場合に利用する情報であり、通信端末１の記憶部に記憶される。
【００６４】
通信端末１の位置情報は、管理装置２が通行IDを発行する場合に、利用者がゲート制御装置３−１乃至３−３により制御されるゲートの近傍に位置しているか否かを判断する情報である。すなわち、利用者は、図１の管理領域A１に位置している場合にのみ、管理装置２から通行IDを受信することができる。
【００６５】
管理装置２は、通信端末１から送信されてきた通行ID要求情報を受信した場合、通行ID要求情報から通信端末１の固有IDに対応する口座番号やクレジットカード番号を抽出する。管理装置２は、抽出した固有IDなどを課金サーバ４に通知し、課金処理を依頼し、課金ができたか否かの通知を受ける。すなわち、利用者は、口座番号やクレジットカード番号などを予め管理装置２に登録しておく必要がある。
【００６６】
また、管理装置２は、通行ID要求情報から通信端末１の利用者の位置を認識し、利用者の位置が管理領域A１の範囲内に位置していると判定し、かつ、課金サーバ４からの通知に基づいて、課金ができたと判定した場合に、通行IDを生成し、通信端末１に対して送信する。通行IDは、所定の桁数の数字などより構成される。
【００６７】
また、通信端末１の利用者は、例えば、ゲート制御装置３−１が制御するゲートから入場する場合、通信端末１が受信し、その表示部に表示されている通行IDをゲート制御装置３−１に設けられている入力部に入力する。また、利用者は、管理装置２が通行IDの正当性を判断するために通信端末１の電話番号（あるいはその一部）を通行IDとともに入力する。
【００６８】
ゲート制御装置３は、利用者から入力された通行IDおよび電話番号を管理装置２に転送し、ゲートを開けるか否かの判定を管理装置２に依頼する。ゲート制御装置３は、管理装置２からの指令に応じてゲートの開閉を制御する。
【００６９】
課金サーバ４は、管理装置２から送信されてきた課金情報に基づいてテーマパークの入場料金に対する与信を行い、課金ができたか否かを管理装置２に通知する。管理装置２は、課金サーバ４からの通知に基づいて利用者に対して通行IDを発行するか否かの判定を行う。
【００７０】
図２は、利用者が有する通信端末１の構成例を示すブロック図である。
【００７１】
CPU（Central Processing Unit ）１１は、通信端末１の全体の動作を制御する。CPU１１にはバス１４を介してROM(Read Only Memory)１２、およびRAM（Random Access Memory）１３が接続されており、CPU１１が行う制御処理に必要なプログラム、および固定データは、ROM１２に記憶され、CPU１１の処理に必要な作業用データを含む様々なデータはRAM１３に記憶される。
【００７２】
また、CPU１１には、バス１４を介して入出力インタフェース１５が接続されており、入出力インタフェース１５に各種処理ブロックが接続される。
【００７３】
通信部１６は、図示せぬアンテナを介して無線で他の通信端末、または管理装置２とデータを通信する。
【００７４】
入力部１７は、利用者が電話をかける際に電話番号などを入力する操作部である。
【００７５】
音声入出力部１８は、通信端末１が通常の電話機として使用される場合、音声を入出力する。
【００７６】
表示部１９は、管理装置２から発行された通行ID、および通行IDの代金として利用者が支払った料金などを表示する。利用者は、表示部１９に表示された通行IDを確認し、ゲート制御装置３−１乃至３−３（以下、ゲート制御装置３−１乃至３−３のそれぞれを個々に区別する必要がない場合、まとめてゲート制御装置３と称する）に入力する。表示部１９には、電話機能実行時の各種メッセージ等も表示される。
【００７７】
位置検出部２０は、GPS（Global Positioning System）を含み、衛星からの電波を受信して通信端末１（利用者）の現在位置を検出する。位置検出部２０が検出した位置情報は、通行ID要求情報に含められる。
【００７８】
記憶部２１は、通信端末１に予め設定されている固有IDを記憶する。また、記憶部２１は、管理装置２から送信されてきた通行IDなどを記憶し、通行IDの有効期限が経過した場合、CPU１１からの指令に基づいて通行IDを消去する。
【００７９】
図３は、管理装置２の構成例を示すブロック図である。CPU３１乃至バス３４は、図２の通信端末１のCPU１１乃至バス１４と同様の機能を有するものであり、その説明は省略する。
【００８０】
入出力インタフェース３５には、通信部３６および記憶部３７が接続されている。
【００８１】
通信部３６は、通信端末１と図示せぬアンテナを介して無線で通信するとともに、ゲート制御装置３および課金サーバ４と有線（または無線でもよい）で通信する。
【００８２】
記憶部３７は、利用者の登録情報や利用者に発行した通行IDなど、様々なデータを記憶する。管理装置２の詳細な処理については後述する。
【００８３】
図４は、ゲート制御装置３の構成例を示すブロック図である。ゲート制御装置３は、管理装置２の指令に基づいて動作する。
【００８４】
通信部５６は、有線（または図示せぬアンテナを介して無線）で、制御部５１と管理装置２との間で通信を行う。制御部５１には、入力部５２、表示部５３、ゲート駆動部５４、およびセンサ５５が接続される。
【００８５】
利用者は、ゲートを通行する際、入力部５２から通行IDおよび通信端末１の電話番号を入力する。入力部５２は、通行IDが所定桁数の数字である場合、数字を入力するためのボタンなどより構成される。
【００８６】
表示部５３は、利用者に対して通知する情報を表示する。そのような情報には、例えば、通行を許可する旨の表示、通行を許可できない旨の表示、およびテーマパークの宣伝情報などがある。
【００８７】
ゲート駆動部５４は、管理装置２からの指令に基づいてゲートの開閉を制御する。センサ５５は、ゲート駆動部５４がゲートを開けた後、利用者がゲートを通過したか否かを検出し、ゲート駆動部５４に通知する。
【００８８】
図５は、課金サーバ４の構成例を示すブロック図である。CPU７１乃至バス７４は、図２の通信端末１のCPU１１乃至バス１４と同様の機能を有するものであり、その説明は省略する。
【００８９】
入出力インタフェース７５には、記憶部７６および通信部７７が接続されている。
【００９０】
課金サーバ４が携帯電話機の通話料金回収会社である場合、記憶部７６は、契約している利用者の通話料金に併せて、管理装置２から通知されたテーマパークの入場料金、およびそれらの支払方法を記憶する。課金サーバ４は、通常、１ヶ月毎など所定の期間毎に料金を課金するが、本実施の形態においては、管理装置２からテーマパークの入場料金の課金を依頼された場合、直ちに入場料金の課金処理を行い、課金ができたか否かを管理装置２に通知する。
【００９１】
通信部７７は、管理装置２と通信する。
【００９２】
以下、図６乃至１０のフローチャートを参照して、利用者が管理装置２に対してテーマパークの入場を要求してからの一連の処理について説明する。始めに、図６のフローチャートを参照して、利用者が有する通信端末１の処理について説明する。
【００９３】
ステップS１において、CPU１１は、入力部１７を手動操作することで、利用者から管理装置２と通信を開始することが要求されているか否かを判定する。CPU１１は、通信の開始が要求されたと判定するまで待機し、管理装置２の電話番号が入力部１７から入力された場合、通信の開始が要求されたと判定し、処理はステップS２に進む。
【００９４】
ステップS２において、通信部１６は、CPU１１からの指令に基づいて管理装置２と通信を開始する。
【００９５】
ステップS３において、CPU１１は、管理装置２に対して、ゲートを通過するのに必要とされる通行IDを要求する通行ID要求情報を通信部１６から送信する。この通行ID要求情報には、位置検出部２０が取得した通信端末１の位置情報、および記憶部２１に記憶されている固有IDが含まれている。
【００９６】
管理装置２は、送信されてきた通信端末１の固有IDに基づいて、予め登録されている利用者の口座番号を抽出し、課金サーバ４に与信を依頼し（後述する図７のステップS２６）、課金ができた場合、かつ、利用者の位置情報に基づいて利用者が管理領域A１の範囲内に位置していると判断した場合、通行IDを発行する（後述する図８のステップS３０）。管理装置２の処理の詳細については、図７および図８のフローチャートを参照して後述する。
【００９７】
ステップS４において、CPU１１は、管理装置２から送信されてきた通行ID、および課金情報（テーマパークに入場するために支払った入場料金が示されている）が通信部１６を介して受信されたか否かを判定する。CPU１１は、通行ID、および課金情報がまだ受信されていないと判定した場合、処理はステップS５に進む。
【００９８】
ステップS５において、CPU１１は、管理装置２から通行IDを発行できないと通知を受けたか否かを判定する。管理装置２は、利用者が管理領域A１の範囲内に位置していないと判断した場合、または、課金サーバ４から課金ができないと通知を受けた場合、通信端末１に対して通行IDを発行できないと通知する（後述する図７のステップS２４）。管理装置２からの通知は、表示部１９に表示され、利用者はそれを確認することができる。
【００９９】
そこで、ステップS５において、CPU１１は、管理装置２から通行IDを発行できないとの通知を受けたと判定した場合、ステップS６に進み、管理装置２から受信したメッセージを表示部１９に表示させる。管理装置２は、利用者が管理領域A１の範囲内に位置していないため通行IDを発行できないと認識した場合、「通行IDの発行エリア圏外のため通行IDを発行できません」等のメッセージを送信し、課金サーバ４からの通知に基づいて課金ができないため通行IDを発行できないと認識した場合、「課金ができないため通行IDを発行できません」等のメッセージを送信し、通信端末１の表示部１９に表示させる。その後、処理はステップS１に戻り、それ以降の処理が繰り返し実行される。
【０１００】
ステップS５において、CPU１１は、管理装置２から通行IDを発行できないとの通知を受けていないと判定した場合、管理装置２が通行IDの発行処理を行っている途中であると認識し、処理はステップS４に戻る。
【０１０１】
一方、ステップS４において、CPU１１は、通行ID、および課金情報を受信したと判定した場合、処理はステップS７に進む。
【０１０２】
ステップS７において、CPU１１は、通信部１６が受信した通行ID、および課金情報を記憶部２１に記憶させる。課金情報は、管理装置２により生成され、テーマパークの入場料金として利用者が支払った金額の情報を含んでいる。
【０１０３】
ステップS８において、CPU１１は、ステップS７で記憶部２１が記憶した通行ID、および課金情報を表示部１９に表示させる。利用者は、この表示から、通行ID、および課金情報を確認できる。利用者は、表示部１９に表示されている通行ID、および通信端末１の電話番号の少なくとも一部を、ゲート制御装置３の入力部５２を自ら操作して入力する。後述するように、この入力が正しいと管理装置２により判定されると、ゲートが開放されるので、利用者は、テーマパークに入場することができる。
【０１０４】
ステップS９において、CPU１１は、記憶部２１が記憶している通行IDの有効期限が経過したか否かを判定する。テーマパークの通行IDの場合、有効期限は、通行IDを発行した日の閉園時刻までであり、管理装置２において設定される。CPU１１は、有効期限が経過したと判定するまで記憶部２１に通行IDを記憶させ、有効期限が経過したと判定した場合、処理はステップS１０に進む。
【０１０５】
ステップS１０において、CPU１１は、記憶部２１を制御し、通行IDを消去させる。その後、処理はステップS１に戻り、それ以降の処理が繰り返し実行される。
【０１０６】
次に、図７および図８のフローチャートを参照して管理装置２の処理について説明する。
【０１０７】
ステップS２１において、CPU３１は、通信端末１と通信が開始されたか否かを判定する。CPU３１は、通信部３６において通信端末１と通信が開始されたと判定するまで待機し、通信が開始されたと判定した場合、処理はステップS２２に進む。
【０１０８】
ステップS２２において、CPU３１は、通信端末１から送信されてきた通行ID要求情報が通信部１６において受信されたか否かを判定する。CPU３１は、通行ID要求情報が受信されたと判定するまで待機し、受信されたと判定した場合、処理はステップS２３に進む。
【０１０９】
ステップS２３において、CPU３１は、通信端末１から送信されてきた位置情報から、利用者（通信端末１）が管理領域A１（図１）の範囲内に位置しているか否かを判定する。管理領域A１は、管理装置２の管理者によりゲート管理装置３の近傍に予め設定されている領域である。CPU３１は、利用者が管理領域A１の範囲内に位置していないと判定した場合、処理はステップS２４に進む。
【０１１０】
ステップS２４において、CPU３１は、通信端末１に対して通行IDを発行できない旨のメッセージを送信する。通信端末１に対して送信されるメッセージは、「通行IDの発行エリア圏外のため通行IDを発行できません」等のメッセージである。これにより、いたずらなどにより、入場者数が過剰に予想されてしまうようなことが防止される。その後、処理はステップS２１に戻り、それ以降の処理が繰り返し実行される。
【０１１１】
一方、ステップS２３において、CPU３１は、利用者が管理領域A１の範囲内から通行IDを要求していると判定した場合、処理はステップS２５に進む。
【０１１２】
ステップS２５において、CPU３１は、記憶部３７に記憶されている情報から利用者が要求する通行ID の料金、および通信端末１から送信されてきた固有IDに対応する口座番号やクレジットカード番号（利用者がこのサービスの提供を受ける前に、予め登録しておいたもの）を抽出し、課金情報を生成する。
【０１１３】
ステップS２６において、CPU３１は、課金サーバ４に対して通信部３６から課金情報を送信し、与信を依頼する。課金サーバ４は、課金情報に基づいて与信処理を行う（口座番号番号から通行IDの料金を引き落とす（課金する）ことができるか否かを判定する）。その後、課金ができたか否か（与信の結果）が、課金サーバ４から通知されてくる。
【０１１４】
そこで、ステップS２７において、CPU３１は、課金サーバ４からの通知に基づいて課金ができた（入場料金を引き落とすことができた）か否かを判定する。CPU３１は、課金サーバ４から課金ができなかったと通知を受けたと判定した場合、処理はステップS２４に進む。
【０１１５】
ステップS２４において、CPU３１は、通信部３６から通信端末１に対して通行IDを発行できない旨のメッセージを送信する。この場合に送信されるメッセージは、「課金ができないため通行IDを発行できません」等のメッセージである。その後、処理はステップS２１に戻り、それ以降の処理が繰り返し実行される。
【０１１６】
ステップS２７において、CPU３１は、課金サーバ４からの通知に基づいて課金ができたと判定した場合、処理はステップS２８に進む。
【０１１７】
ステップS２８において、CPU３１は、通信端末１が要求する通行IDを生成する。CPU３１が生成する通行IDは、所定の桁数の数字よりなる情報である。
【０１１８】
ステップS２９において、CPU３１は、ステップS２８で生成した通行IDを、登録の際に利用者から通知されている通信端末１の固有ID、口座番号、電話番号、および利用者の氏名などの情報に対応させて記憶部３７に記憶させ、その後、通行IDがゲート制御装置３に入力された場合に、通行IDの正当性を判定できるようにする。すなわち、通行IDが所定桁数の数字の組み合わせよりなる場合、利用者がゲートを通行する際に、通行IDのみを入力させることとすると、管理装置２は、通行IDを正規に購入していない利用者が入力した適当な数字に応じてゲートを開けてしまうおそれがある。そのような事態を防ぐため、管理装置２は、利用者に対して通行IDとともに通信端末１の電話番号（その一部でも良い）をゲート制御装置３に入力させ、通行IDを要求した通信端末と、その通信端末に対して発行した通行IDの対応がとれているか否かを判定する。
【０１１９】
ステップS３０において、通信部３６は、CPU３１からの指令に基づいて、通信端末１に対して通行ID、および課金情報を無線で送信する。
【０１２０】
ステップS３１において、CPU３１は、利用者がゲート制御装置３に入力した通行ID、および電話番号が、ゲート制御装置３から転送されてきたか否かを判定する。CPU３１は、通行ID、および電話番号が転送されてきていないと判定した場合、処理はステップS３２に進む。
【０１２１】
ステップS３２において、CPU３１は、通行IDを発行してから予め設定されている所定時間が経過したか否かを判定する。判断される所定時間は、利用者が通信端末１において通行IDを受信してからゲートを通行するのに充分な時間であり、通行IDを発行したにもかかわらず、その通行IDが利用されないことによる混乱が生じるのを防止するために設定される。
【０１２２】
ステップS３２において、CPU３１は、所定時間が経過したと判定した場合、処理はステップS３３に進む。
【０１２３】
ステップS３３において、CPU３１は、記憶部３７を制御し、発行してから所定時間が経過した通行IDを消去させる（その通行IDを無効とさせる）。その後、消去された通行IDの利用者は、管理装置２の管理者に対して支払った入場料金の返還を受けるか、または、新たに有効な通行IDに替えることを要求することができる。
【０１２４】
ステップS３２において、CPU３１は、通行IDを発行してから所定時間が経過していないと判定した場合、処理はステップS３１に戻る。
【０１２５】
ステップS３１において、CPU３１は、通行IDおよび電話番号がゲート制御装置３から転送されてきたと判定した場合、処理はステップS３４に進む。
【０１２６】
ステップS３４において、CPU３１は、ゲート制御装置３から転送されてきた通行IDおよび電話番号の組み合わせが、記憶部３７に記憶されている通行IDおよび電話番号の組み合わせと一致するか否かを判定する。CPU３１は、転送されてきた通行IDおよび電話番号の組み合わせが、記憶部３７に記憶されている通行IDおよび電話番号の組み合わせと一致すると判定した場合、処理はステップS３５に進む。
【０１２７】
ステップS３５において、CPU３１は、ゲート制御装置３に対してゲートを開けることを指令する。この指令を受けたゲート制御装置３は、ゲートを開ける。その後、処理はステップS２１に戻り、それ以降の処理が繰り返し実行される。
【０１２８】
ステップS３４において、CPU３１は、ゲート制御装置３から転送されてきた通行IDおよび電話番号の組み合わせが、記憶部３７に記憶されている通行IDおよび電話番号の組み合わせと一致しないと判定した場合、処理はステップS３６に進む。
【０１２９】
ステップS３６において、CPU３１は、ゲート制御装置３に対してゲートを閉めた状態を保持することを指令する（ゲートの開放を指令しない）。この指令を受けたゲート制御装置３は、ゲートを閉めた状態を保持する。その後、処理はステップS２１に戻り、それ以降の処理が繰り返し実行される。
【０１３０】
次に、図９のフローチャートを参照してゲート制御装置３の処理について説明する。
【０１３１】
ステップS４１において、制御部５１は、利用者により入力部５２から通行IDおよび電話番号が入力されたか否かを判定する。制御部５１は、入力部５２に通行IDおよび電話番号が入力されるまで待機し、通行IDおよび電話番号が入力されたと判定した場合、処理はステップS４２に進む。
【０１３２】
ステップS４２において、制御部５１は、管理装置２に対して入力部５２から入力された通行IDおよび電話番号を転送し、それらが管理装置２に登録されている正当な通行IDおよび電話番号か否かの判定を依頼する。
【０１３３】
ステップS４３において、制御部５１は、管理装置２からの指令に基づいてゲートを開けることが許可されたか否かを判定する。制御部５１は、ゲートを開けることを許可されたと判定した場合（管理装置２により通行IDおよび電話番号が正当であると判定された場合）、処理はステップS４４に進む。
【０１３４】
ステップS４４において、制御部５１は、管理装置２からゲートを開けることの指令を受けたとき、ゲート駆動部５４を制御し、ゲートを開放させる。
【０１３５】
ステップS４５において、センサ５５は、ステップS４４でゲート駆動部５４が開けたゲートを利用者が通過したか否かを判定する。センサ５５は、利用者がゲートを通過するまで待機し、利用者がゲートを通過したと判定した場合、処理はステップS４６に進む。
【０１３６】
ステップS４６において、センサ５５から利用者がゲートを通過したと通知を受けたゲート駆動部５４は、ゲートを閉める。その後、処理はステップS４１に戻り、それ以降の処理が繰り返し実行される。
【０１３７】
一方、ステップS４３において、制御部５１は、管理装置２からの指令に基づいてゲートを開けることが許可されてないと判定した場合（管理装置２により通行IDおよび電話番号の組み合わせが正当でないと判定された場合、）処理はステップS４７に進む。
【０１３８】
ステップS４７において、制御部５１は、表示部５３を制御し、ゲートを開けることができない旨のメッセージを表示させ、利用者に通知する。すなわち、このときゲートは閉めたままとされる。その後、処理はステップS４１に戻り、それ以降の処理が繰り返し実行される。
【０１３９】
次に、図１０のフローチャートを参照して、課金サーバ４の処理を説明する。
【０１４０】
ステップS５１において、CPU７１は、管理装置２から送信された課金情報が、通信部７７において受信されたか否かを判定する。CPU７１は、課金情報が受信されるまで待機し、課金情報が受信されたと判定された場合、処理はステップS５２に進む。
【０１４１】
ステップS５２において、CPU７１は、課金情報に基づいて課金処理を行い、記憶部７６に記憶されている利用者の残金情報を書き換える。すなわち、CPU７１は、課金情報に含まれている利用者の口座からテーマパークの入場料金を引き落とすことができるか否かを判定し、引き落としができる場合には、その分だけ減算し、記憶部７６に記憶させる。利用者から回収した料金は、課金サーバ４とテーマパークの間で予め設定されている契約に基づいてテーマパークの管理者に対して送金される。
【０１４２】
ステップS５３において、通信部７７は、課金ができたか否かの結果を管理装置２に通知する。利用者の口座からテーマパークの入場料金を引き落とすことができたときは課金完了が通知される。クレジットカード番号が盗難にあったものであったり、未払いの分が残存しているものであるような場合、課金不可が通知される。管理装置２は、この通知に基づいて通行IDを発行するか否かを判定する。
【０１４３】
図１１は、本発明を適用した通行制御システムの他の構成例を示すブロック図である。本発明を適用した通行制御システムを、区間従量制の高速道路の通行制御に利用した場合について説明する。ここで、区間従量制とは、図１１の例においては、利用者が入口ゲート制御装置５−１乃至５−３のいずれかのゲートから高速道路に入り、出口ゲート制御装置６−１乃至６−３のいずれかのゲートから出た場合に、入口ゲートと出口ゲートの組み合わせにより（高速道路を利用した距離により）通行料金が異なることを意味する。なお、図１と同様の機能を有するものについては同一の符号を付してあり、その説明は、適宜、省略する。
【０１４４】
入口ゲート制御装置５−１乃至５−３（以下、入口ゲート制御装置５−１乃至５−３を個々に区別する必要がない場合、単に入口ゲート制御装置５と称する。出口ゲート制御装置６−１乃至６−３に関しても同様とする）のそれぞれの近傍には、管理領域A１１乃至A１３が設定されている。利用者は、例えば、高速道路を入口ゲート制御装置５−１から利用する場合、対応する管理領域A１１の範囲内から通行IDを要求する場合のみ、管理装置２から通行IDを受信できる。
【０１４５】
以下、図１２乃至１６のフローチャートを参照して、利用者が管理装置２に対して通行IDを要求してからの一連の処理について説明する。通信端末１の利用者は、入口ゲート制御装置５−１から高速道路に入り、出口ゲート制御装置６−３から出る場合について説明する。なお、入口ゲート制御装置５−１乃至５−３および出口ゲート制御装置６−１乃至６−３の構成は、図４に示すゲート制御装置３と同様の構成である。
【０１４６】
始めに、図１２のフローチャートを参照して通信端末１の処理について説明する。
【０１４７】
ステップS６１乃至S６３の処理は、図６のステップS１乃至S３と同様の処理である。すなわち、通信端末１のCPU１１は、入力部１７を操作することで利用者から指令があったと判定した場合、管理装置２に対して通信端末１の固有ID、電話番号、および位置情報を送信する。
【０１４８】
課金処理は出口ゲートで行われるので、入口では、管理装置２は、さし当たり、通行IDを発行する。そこで、ステップS６４において、CPU１１は、管理装置２から送信されてきた通行IDを通信部１６で受信したか否かを判定する。管理領域A１１の範囲内に位置しないなどの理由で、通行IDが受信されない場合、管理装置２から送信されてくる「発行エリア圏外のため通行IDを発行できません」等のメッセージがステップS６５で表示部１９に表示される。
【０１４９】
ステップS６４において、CPU１１は、通信部１６で通行IDを受信したと判定した場合、処理はステップS６６に進む。
【０１５０】
ステップS６６において、CPU１１は、受信した通行IDを記憶部２１に記憶させる。
【０１５１】
ステップS６７において、CPU１１は、受信した通行IDを表示部１９に表示させる。利用者は、表示された通行IDを入口ゲート制御装置５−１に設けられている入力部５２に入力し、高速道路に入る。ゲートに管理者がいる場合には、利用者は、表示された通行IDを管理者に見せ、管理者が通行IDを入力する。
【０１５２】
その後、利用者は、高速道路から出る場合、出口ゲート制御装置６−３に設けられている入力部５２に入口ゲート制御装置５−１に入力した通行IDと同一の通行IDを入力する。または通行IDをゲートの管理者に見せ、入力してもらう。管理装置２は、通行IDが入力された２つのゲート制御装置の区間（入口ゲート制御装置５−１から出口ゲート制御装置６−３の区間）の料金を算出し、課金サーバ４に課金を依頼することとなる。管理装置２の処理については後述する。
【０１５３】
ステップS６８において、CPU１１は、管理装置２から送信された課金情報が通信部１６を介して受信されたか否かを判定する。課金情報は、利用者が通行IDを出口ゲート制御装置６−３に入力した後に、管理装置２が生成した情報であり、高速道路の利用料金として課金サーバ４が課金した料金が通知される。
【０１５４】
課金情報が通知されたので、ステップS６９において、CPU１１は、利用者が高速道路を出たと認識し、記憶部２１に対して通行IDは不要であるため、消去することを指令する。記憶部２１は、CPU１１からの指令に基づいて通行IDを消去する。その後、処理はステップS６１に戻り、それ以降の処理が繰り返し実行される。
【０１５５】
次に、図１３および図１４のフローチャートを参照して管理装置２の処理について説明する。
【０１５６】
ステップS８１において、CPU３１は、通信端末１と通信が開始されたか否かを判定し、通信が開始されるまで待機する。CPU３１は、通信が開始されたと判定した場合、ステップS８２の処理に進む。
【０１５７】
ステップS８２において、CPU３１は、通信端末１の利用者が管理領域A１１の範囲内から通行IDを要求しているか否かを通信端末１から送信されてくる位置情報に基づいて判定する。CPU３１は、利用者が管理領域A１１の範囲内に位置していないと判定した場合、処理はステップS８３に進む。
【０１５８】
ステップS８３において、CPU３１は、通信端末１に対して通行IDを発行できない旨のメッセージを送信する。送信されるメッセージは「発行エリア圏外のため通行IDを発行できません」等のメッセージである。その後、処理はステップS８１に戻り、それ以降の処理が繰り返し実行される。
【０１５９】
ステップS８２において、CPU３１は、利用者が管理領域A１１の範囲内に位置していると判定した場合、処理はステップS８４に進む。
【０１６０】
ステップS８４において、CPU３１は、通行IDを生成する。
【０１６１】
ステップS８５において、記憶部３７は、CPU３１の指令に基づいて、ステップS８４でCPU３１が生成した通行IDを、利用者によって予め登録されている通信端末１の固有IDや電話番号などと対応させて記憶する。
【０１６２】
ステップS８６において、CPU３１は、通信部３６を制御し、通信端末１に対して通行IDを送信する。通信部３６が送信する通行IDは、利用者により入口ゲート制御装置５−１に入力される。
【０１６３】
ステップS８７において、CPU３１は、入口ゲート制御装置５−１に入力された通行IDが入口ゲート制御装置５−１から転送されてきたか否かを判定する。CPU３１は、通行IDが転送されてきていないと判定した場合、処理はステップS８８に進む。
【０１６４】
ステップS８８において、CPU３１は、通行IDを発行してから所定時間が経過したか否かを判定する。所定時間は、管理領域A１１において通行IDを受信した利用者が入口ゲート制御装置５−１のゲートを通過するのに充分な時間として設定される。
【０１６５】
ステップS８８において、CPU３１は、通行IDを発行してから所定時間が経過していないと判定した場合、処理はステップS８７に戻る。
【０１６６】
ステップS８７において、CPU３１は、通行IDを発行してから所定時間が経過したと判定した場合、処理はステップS８９に進む。
【０１６７】
ステップS８９において、記憶部３７は、CPU３１からの指令に基づいて所定時間が経過した通行IDを消去する。これにより、発行した通行IDが使用されないことによる混乱を防ぐことができる。
【０１６８】
一方、ステップS８７において、CPU３１は、入口ゲート制御装置５−１に入力された通行IDが入口ゲート制御装置５−１から転送されてきたと判定した場合、処理はステップS９０に進む。
【０１６９】
ステップS９０において、CPU３１は、入口ゲート制御装置５−１に対してゲートを開けることを指令する。また、CPU３１は、利用者が入口ゲート制御装置５−１から高速道路に入ったことを記憶部３７に記憶させる。
【０１７０】
その後、利用者は、高速道路を自動車で走行し、出口ゲート制御装置６−３により制御されるゲートから出る場合、出口ゲート制御装置６−３に設けられている入力部５２から、入口ゲート制御装置５−１に入力した通行IDと同一の通行IDを入力する。
【０１７１】
ステップS９１において、CPU３１は、出口ゲート制御装置６−３に入力された通行IDが、出口ゲート制御装置６−３から転送されてきたか否かを判定する。CPU３１は、通行IDが転送されてきていないと判定した場合、利用者はまだ高速道路を走行中であると認識し、通行IDが転送されてくるまで待機する。
【０１７２】
ステップS９１において、CPU３１は、出口ゲート制御装置６−３から通行IDが転送されてきたと判定した場合、処理はステップS９２に進む。
【０１７３】
ステップS９２において、CPU３１は、課金情報を生成する。すなわち、CPU３１は、通行IDに対応して記憶部３７に記憶されている入口ゲート制御装置５−１と、いま通行IDを送信してきた出口ゲート制御装置６−３の位置情報を記憶部３７から抽出し、高速道路の利用料金を算出する。
【０１７４】
ステップS９３において、CPU３１は、課金サーバ４に対してステップS９３の処理で算出した利用料金の課金を依頼する。課金を依頼された課金サーバ４は、図１０のフローチャートと同様の処理を行い、課金ができたか否かを管理装置２に通知する。
【０１７５】
ステップS９４において、CPU３１は、課金サーバ４からの通知に基づいて課金ができたか否かを判定する。CPU３１が課金ができたと判定した場合、処理はステップS９５に進む。
【０１７６】
ステップS９５において、CPU３１は、出口ゲート制御装置６−３に対してゲートを開けることを指令する。
【０１７７】
ステップS９６において、CPU３１は、通信部３６を制御し、通信端末１に対して課金情報を送信し、高速道路の利用料金として課金した金額を通知する。その後、ステップS８１に戻り、それ以降の処理が繰り返し実行される。
【０１７８】
一方、ステップS９４において、CPU３１は、課金サーバ４からの通知に基づいて課金ができなかったと判定した場合、処理はステップS９７に進む。
【０１７９】
ステップS９７において、CPU３１は、出口ゲート制御装置６−３に対してゲートを閉めた状態を保持することを指令する。利用者は、出口ゲート制御装置６−３の表示部５３に表示されている指示に従って（現金で料金を支払うなどして）高速道路から出る。その後、ステップS８１に戻り、それ以降の処理が繰り返し実行される。
【０１８０】
次に、図１５のフローチャートを参照して入口ゲート制御装置５−１の処理について説明する。
【０１８１】
ステップS１１１において、制御部５１は、入力部５２から利用者の通行IDが入力されたか否かを判定する。制御部５１は、通行IDが入力されるまで待機し、通行IDが入力されたと判定した場合、処理はステップS１１２に進む。
【０１８２】
ステップS１１２において、制御部５１は、通信部５６を介して、管理装置２に対して入力された通行IDを転送する。
【０１８３】
ステップS１１３において、ゲート駆動部５４は、管理装置２からの指令に基づいてゲートを開け、利用者の自動車を通行させる。
【０１８４】
ステップS１１４において、センサ５５は、利用者がゲートを通過したか否かを判定する。センサ５５は、利用者がゲートを通過するまで待機し、利用者がゲートを通過したと判定した場合、処理はステップS１１５に進む。
【０１８５】
ステップS１１５において、ゲート駆動部５４は、センサ５５からの通知に基づいてゲートを閉める。その後、処理はステップS１１１に戻り、それ以降の処理が繰り返し実行される。
【０１８６】
次に、図１６のフローチャートを参照して出口ゲート制御装置６−３の処理について説明する。
【０１８７】
ステップS１２１において、制御部５１は、入力部５２から利用者の通行IDが入力されたか否かを判定する。制御部５１は、通行IDが入力されるまで待機し、通行IDが入力されたと判定した場合、処理はステップS１２２に進む。
【０１８８】
ステップS１２２において、制御部５１は、入力された通行IDを管理装置２に対して転送し、ゲートを開けるか否かの判定を依頼する。
【０１８９】
ステップS１２３において、制御部５１は、管理装置２からの指令に基づいてゲートを開けることが許可されたか否かを判定する。制御部５１は、高速道路の利用料金の課金ができたため、ゲートを開けることが許可されたと判定した場合、処理はステップS１２４に進む。
【０１９０】
ステップS１２４において、ゲート駆動部５４は、管理装置２（制御部５１）からの指令に基づいてゲートを開ける。
【０１９１】
ステップS１２５において、センサ５５は、利用者がゲートを通過したか否かを判定する。センサ５５は、利用者がゲートを通過するまで待機し、利用者がゲートを通過したと判定した場合、処理はステップS１２６に進む。
【０１９２】
ステップS１２６において、ゲート駆動部５４は、センサ５５からの通知に基づいてゲートを閉める。その後、処理はステップS１２１に戻り、それ以降の処理が繰り返し実行される。
【０１９３】
一方、ステップS１２３において、制御部５１は、管理装置２からの指令によりゲートを開けることが許可されていないと判定した場合、ステップS１２７に進む。
【０１９４】
ステップS１２７において、ゲート駆動部５４は、ゲートを閉めたままとする。また、表示部５３は、通行を許可することができないことを表示し、利用者に通知する。その後、処理はステップS１２１に戻り、それ以降の処理が繰り返し実行される。
【０１９５】
以上においては、テーマパーク、および高速道路の利用者は、ゲートを通行する場合、管理装置２から受信した通行IDを手動作によりゲート制御装置３乃至６の入力部５２に入力することとしたが、通信端末１において非接触IDタグを利用し、ゲート制御装置３乃至６にそれを読み取らせることにより、利用者が手動作によらずに通行IDを入力できるようにすることも可能である。
【０１９６】
図１７は、非接触IDタグを利用した通信端末１の構成例を示すブロック図である。図２と同様の機能を有するものについては同一の符号を付してあり、その説明は省略する。
【０１９７】
この例では、入出力インタフェース１５に非接触通信部２２が接続されている。非接触通信部２２の内部には主制御部、記憶部、およびコイル（いずれも図示せず）が設けられており、非接触通信部２２は、リーダライタ部５７（図１８）から送信される電磁波をコイルにより受信し、リーダライタ部５７からの指令に対して応答することができる。コイルが受信した電磁波は、増幅、復調処理が施され、主制御部に転送された後、記憶部に記憶される。また、記憶部に記憶されたデータは、コイルを介してリーダライタ部５７により読み出される。
【０１９８】
管理装置２から送信されてきた通行IDは、通信部１６において受信され、非接触通信部２２の記憶部に記憶される。非接触通信部２２の内部に設けられている主制御部は、その記憶部に記憶された通行IDに対して自由にアクセスすることができ、後述するゲート制御装置３乃至６に設けられたリーダライタ部５７から送信される電磁波に基づいて通行IDの記述内容を書き換えることができる。
【０１９９】
図１８は、リーダライタ部５７が設けられたゲート制御装置３の構成例を示すブロック図である。図４と同様の機能を有するものについては同一の符号を付してあり、その説明は省略する。この例では制御部５１にリーダライタ部５７が接続されている。
【０２００】
リーダライタ部５７の内部には図示せぬ発振器が設けられており、リーダライタ部５７は、発振器を利用して任意の周波数の電磁波を生成できる。また、リーダライタ部５７には、アンテナが設けられており、アンテナにより通信端末１の非接触通信部２２から送信された電磁波が受信される。図示せぬ増幅器、復調器は、通信端末１の非接触通信部２２が送信する電磁波から必要なデータを取り出し、制御部５１を介して管理装置２に通知する。
【０２０１】
次に、図１９乃至図２３のフローチャートを参照して非接触IDタグを利用した通行制御システムについて説明する。管理装置２から発行される通行IDは、有効期限はないが、使用回数が設定されており、利用者がその通行IDを使用してテーマパークのゲートを通過する毎に、管理装置２によって残りの使用回数が１ずつ減らされる。残り使用回数が０となったとき、その通行IDは使用できなくなる。なお、通行IDに所定の金額情報を設定し、利用者がゲートを通過したとき、ゲートの通行料金を減算するようにしても良い。また、本実施の形態においては、利用者は、現在位置に関係なく通行IDを購入できる。
【０２０２】
始めに、図１９および図２０のフローチャートを参照して通信端末１の処理について説明する。
【０２０３】
ステップS１４１およびステップS１４２の処理は、図６のステップS１およびステップS２と同様の処理である。すなわち、利用者からの指示に基づいて通信が開始される。
【０２０４】
ステップS１４３において、CPU１１は、管理装置２から送信されてきた通行IDが通信部１６において受信されたか否かを判定する。すなわち、通行IDには使用回数が決められているため、利用者が以前、通行IDを購入し、その通行IDの残り使用回数がまだ残っていると管理装置２により判定された場合、利用者は通行IDを購入する必要がないので、ステップS１４２で通信が開始された後、ただちに、管理装置２から通行IDが送信されてくることとなる。CPU１１は、通行IDが受信されていないと判定した場合（通行IDの購入処理が必要な場合）、処理はステップS１４４に進む。
【０２０５】
ステップS１４４において、CPU１１は、通信部１６で受信された管理装置２からのアナウンスを音声入出力部１８に出力させる。管理装置２から送信されてくるアナウンスは、利用者に対して、購入する通行IDの使用回数を選択させるガイダンス情報である。通行IDの使用回数は、５，１０，２０回などのように、管理装置２によって設定されてアナウンスされる。利用者は、アナウンスに応じて希望する使用回数を選択する。
【０２０６】
ステップS１４５において、CPU１１は、ユーザにより通行IDの使用回数が選択されたか否かを判定する。CPU１１は、通行IDの使用回数が入力部１７から入力されたと判定するまで待機し、入力されたと判定した場合、処理はステップS１４６に進む。
【０２０７】
ステップS１４６において、CPU１１は、ステップS１４４で入力された通行IDの使用回数を含む通行ID要求情報を送信する。なお、通信端末１の固有IDや電話番号などの情報（記憶部２１に予め記憶されている）は、管理装置２と通信が開始されると同時に通信部１６から送信される。管理装置２は、受信した通行ID要求情報に基づいて課金サーバ４に課金処理を依頼し、課金ができたと判定した場合、通行IDおよび通行IDの代金情報を含む課金情報を通信端末１に対して送信する。
【０２０８】
ステップS１４７において、CPU１１は、管理装置２から送信された通行IDおよび課金情報が通信部１６を介して受信されたか否かを判定する。CPU１１は、通行IDおよび課金情報が受信されていないと判定した場合、処理はステップS１４８に進む。
【０２０９】
ステップS１４８において、CPU１１は、管理装置２から課金ができないため通行IDを発行できないと通知を受けたか否かを判定する。この通知を受けた場合、ステップS１４９に進み、管理装置２から通知された情報は、表示部１９に表示され、利用者はそれを確認することができる。表示部１９に表示されるメッセージは、「課金ができないため通行IDを発行できません」等のメッセージである。その後、処理はステップS１４１に戻り、それ以降の処理が繰り返し実行される。
【０２１０】
ステップS１４８において、CPU１１は、管理装置２から通行IDを発行できないとの通知を受けていないと判定した場合、CPU１１は、管理装置２が通行IDの発行処理の途中であると認識し、処理はステップS１４７に戻る。
【０２１１】
一方、ステップS１４７において、CPU１１は、通行IDおよび課金情報を受信したと判定した場合、または、ステップS１４３の処理でCPU１１により通行IDが受信されたと判定された場合、処理はステップS１５０に進む。
【０２１２】
ステップS１５０において、CPU１１は、受信した通行IDを非接触通信部２２の記憶部に記憶させる。これにより、非接触通信部２２に設けられている主制御部は、通行IDに自由にアクセスすることができる。通行IDには、通行IDの残り使用回数が記述されている。
【０２１３】
ステップS１５１において、CPU１１は、非接触通信部２２の主制御部と通信し、ステップS１５０で非接触通信部２２の記憶部に記憶させた通行IDの使用回数、および課金情報を読み出し、表示部１９に表示させる。これにより、利用者は、通行IDの残り使用回数、および購入代金を確認することができる。
【０２１４】
利用者は、テーマパークに入る場合、通信端末１（非接触通信部２２）をゲート制御装置３の近傍に配置する。そこで、ステップS１５２において、非接触通信部２２の主制御部は、ゲート制御装置３のリーダライタ部５７から所定時間毎に送信されている電磁波を受信したか否かを判定する。非接触通信部２２の主制御部は、電磁波を受信するまで待機し、電磁波を受信したと判定した場合、処理はステップS１５３に進む。
【０２１５】
ステップS１５３において、CPU１１は、非接触通信部２２の主制御部を制御し、ゲート制御装置３に通行IDを入力すべく、内部の記憶部に記憶されている通行IDを読み出させ、送信させる。通行IDは、非接触通信部２２において、増幅、変調などの処理が施され、ゲート制御装置３のリーダライタ部５７に送信される。リーダライタ部５７が受信した通行IDは、管理装置２に転送される。管理装置２は、この通行IDを確認した後、ゲート制御装置３にゲートを開放させるので、利用者は、ゲートを通過することができる。管理装置２は、また、その通行IDの残り使用回数の情報を書き換える処理などを行う。
【０２１６】
ステップS１５４において、CPU１１は、非接触通信部２２の主制御部を制御し、内部の記憶部に記憶されている通行IDを消去させる。すなわち、利用者は、使用回数が設定されている通行IDを利用するたびに、管理装置２にアクセスして通行IDを発行してもらう。これにより、通行IDのデータの改竄を防ぐことができる。
【０２１７】
ステップS１５５において、非接触通信部２２は、ゲート制御装置３のリーダライタ部５７から無線で送信されてきた通行IDの残り使用回数を受信し、内部の記憶部に記憶する。なお、非接触通信部２２が受信した通行IDは、管理装置２の処理（後述する図２２のステップS１８５）により残り使用回数が１減らされている。通行IDの残り使用回数は、リーダライタ部５７により書き換えられるまで記憶された状態となるので、利用者は、いつでも残り使用回数を表示部１９に表示させることにより確認することができる。
【０２１８】
ステップS１５６において、表示部１９は、CPU１１により制御され、通行IDの残り使用回数を表示し、利用者に通知する。その後、ステップS１４１に戻り、それ以降の処理が繰り返し実行される。
【０２１９】
次に、図２１および図２２のフローチャートを参照して管理装置２の処理について説明する。
【０２２０】
ステップS１７１において、CPU３１は、通信端末１と通信が開始されたか否かを判定する。CPU３１は、通信端末１と通信が開始されたと判定するまで待機し、通信が開始されたと判定した場合、処理はステップS１７２に進む。
【０２２１】
ステップS１７２において、CPU３１は、通信端末１と通信が開始されるとすぐに送信されてくる通信端末１の固有IDに基づいて、通信端末１は、以前に通行IDを購入し、かつ、その通行IDの使用回数が残っているか（残り使用回数が０でないか）否かを判定する。CPU３１は、固有IDに基づいて記憶部３７の登録情報を検索し、通信端末１の利用者は、通行IDを購入していないか、または通行IDの残り使用回数が０回の利用者からのアクセスであると判定した場合、処理はステップS１７３に進む。
【０２２２】
ステップS１７３において、CPU３１は、記憶部３７に記憶されているアナウンスを通信端末１に対して送信する。通信端末１の利用者は、アナウンスに応じて、購入を希望する通行IDの使用回数を通信端末１の入力部１７に入力し、管理装置２に対して送信する。
【０２２３】
ステップS１７４において、CPU３１は、通信端末１から利用者が希望する通行IDの使用回数の情報を含む通行ID要求情報が受信されたか否かを判定する。CPU３１は、通行ID要求情報が受信されていないと判定した場合、利用者が入力中であると認識し、受信するまで待機する。CPU３１は、通行ID要求情報が通信部３６で受信されたと判定した場合、処理はステップS１７５に進む。
【０２２４】
ステップS１７５において、CPU３１は、利用者が要求する通行IDの使用回数に対応する料金を算出し、口座番号またはクレジットカード番号と併せて課金情報を生成する。
【０２２５】
ステップS１７６において、CPU３１は、ステップS１７５で生成した課金情報を通信部３６から課金サーバ４に送信し、課金処理を依頼する。課金サーバ４は、課金情報に基づいて課金し、課金ができたか否かを管理装置２に通知する。
【０２２６】
ステップS１７７において、CPU３１は、課金サーバ４からの通知に基づいて課金ができたか否かを判定する。CPU３１は、課金サーバ４から、指定された口座の残金が足りない等の理由で課金ができないとの通知を受けたと認識した場合、処理はステップS１７８に進む。
【０２２７】
ステップS１７８において、CPU３１は、通信端末１に対して通行IDを発行できない旨のメッセージを送信する。送信されるメッセージは、例えば、「課金ができないため通行IDを発行できません」等のメッセージである。その後、ステップS１７１に戻り、それ以降の処理が繰り返し実行される。
【０２２８】
ステップS１７７において、CPU３１は、課金サーバ４からの通知に基づいて課金ができたと判定した場合、処理はステップS１７９に進む。
【０２２９】
ステップS１７９において、CPU３１は、利用者が要求する使用回数の通行IDを生成する。
【０２３０】
ステップS１８０において、記憶部３７は、CPU３１からの指令に基づいて、通信端末１に発行する通行ID、および通行IDの残り使用回数を記憶部３７に記録されている登録情報（通信端末１の固有IDなど）に対応させて記憶する。
【０２３１】
一方、ステップS１７２において、CPU３１は、通信端末１から送信されてきた固有IDに基づいて、通信端末１に対して通行IDを既に発行済みであり、かつ、通行IDの残り使用回数が残っていると判定した場合、処理はステップS１８１に進む。
【０２３２】
ステップS１８１において、CPU３１は、通信端末１から送信されてきた固有IDに基づいて、通信端末１の利用者が、以前、購入した通行IDを記憶部３７から読み出す。すなわち、使用回数が設定されている通行IDを購入した利用者が、通行IDを利用して、テーマパークに再び入場する場合、利用者は、管理装置２に対してアクセスするだけで通行IDの発行（再発行）を受けることができる。
【０２３３】
ステップS１８２において、通信部３６は、CPU３１からの指令に基づいて、通行IDおよび通行IDの残り使用回数の情報を通信端末１に送信する。なお、ステップS１７３乃至S１８０の処理を経て通行IDを購入した通信端末１の利用者には、発行した通行IDの代金である課金情報も併せて通知される。
【０２３４】
ステップS１８３において、CPU３１は、利用者がゲート制御装置３のリーダライタ部５７に入力した通行IDが、ゲート制御装置３から転送されてきたか否かを判定する。CPU３１は、通行IDが転送されてくるまで待機し、転送されてきたと判定した場合、処理はステップS１８４に進む。
【０２３５】
ステップS１８４において、CPU３１は、ゲート制御装置３に対してゲートを開けることを指令する。
【０２３６】
ステップS１８５において、CPU３１は、通行IDの残り使用回数を１減らしし、ゲート制御装置３に残り回数を通知する。通知された残り使用回数は、ゲート制御装置３のリーダライタ部５７から通信端末１に通知される。また、CPU３１は、通行IDの残り使用回数を書き換えて、記憶部３７に記憶させる。CPU３１は、その後、ステップS１７１に戻り、それ以降の処理が繰り返し実行される。
【０２３７】
次に、図２３のフローチャートを参照してゲート制御装置３の処理について説明する。
【０２３８】
ステップS２０１において、制御部５１は、リーダライタ部５７が所定時間毎に送信する電磁波に応じて通信端末１から通行IDが送信され、リーダライタ部５７において受信されたか否かを判定する。制御部５１は、リーダライタ部５７が通行IDを受信するまで待機し、通行IDを受信したと判定した場合、処理はステップS２０２に進む。
【０２３９】
ステップS２０２において、制御部５１は、通信端末１から送信されてきた通行IDを管理装置２に転送する。
【０２４０】
ステップS２０３において、ゲート駆動部５４は、管理装置２からの指令に基づいてゲートを開ける。
【０２４１】
ステップS２０４において、表示部５３は、制御部５１の指令に基づいて、管理装置２において１減らされた通行IDの残り使用回数を表示し、利用者に通知する。それとともに、制御部５１は、リーダライタ部５７を制御し、通信端末１の非接触通信部２２に対して通行IDの残り使用回数の情報を送信する。
【０２４２】
ステップS２０５において、センサ５５は、利用者がゲートを通過したか否かを判定する。センサ５５は、利用者がゲートを通過するまで待機し、ゲートを通過したと判定した場合、処理はステップS２０６に進む。
【０２４３】
ステップS２０６において、ゲート駆動部５４は、センサ５５からの通知に基づいてゲートを閉める。その後、ステップS２０１に戻り、それ以降の処理が繰り返し実行される。
【０２４４】
上述した例では、ゲート制御装置３乃至６に通行IDおよび電話番号が入力された場合、ゲートを開けるか否かの判定は、管理装置２が行うこととしたが、ゲート制御装置３が自ら判定するようにしても良い。
【０２４５】
図２４は、このような判定機能を有するゲート制御装置３の構成例を示すブロック図である。図４のゲート制御装置３と同様の機能を有する部分については同一の符号を付してあり、その説明は省略する。
【０２４６】
CPU７１は、図４における制御部５１に対応し、ゲート制御装置３の全体の動作を制御する。CPU７１にはバス７４を介してROM７２、およびRAM７３が接続されており、CPU７１が通行IDの正当性を判定する処理に必要なプログラム、および固定データは、ROM７２に記憶され、CPU７１の処理に必要な作業用データを含む様々なデータはRAM７３に記憶される。
【０２４７】
また、CPU７１には、バス７４を介して入出力インタフェース７５が接続されており、入出力インタフェース７５には、図４に示したゲート制御装置３に設けられている各処理部の他に、例えばハードディスクよりなる記憶部５８が接続されている。
【０２４８】
管理装置２が発行した通行ID、および通信端末１の電話番号などの登録情報は、適宜、管理装置２からゲート制御装置３に通知され、記憶部５８に記憶される。
【０２４９】
CPU７１は、通行IDが入力部５２から入力された場合、記憶部５８に記憶されている登録情報に基づいて通行IDの正当性を判定する。
【０２５０】
また、ゲート制御装置３には、通行IDの判定処理だけでなく、通行IDの発行処理を行わせるようにしても良い。
【０２５１】
上述したように、通行IDは、所定の桁数の数字よりなる情報としたが、画像情報として、通信端末１の表示部１９に表示するようにしても良い。この場合、利用者は、テーマパークに入るとき、表示部１９に表示された画像をテーマパークの係員（ゲート管理者）に提示する。このため、表示部１９は、CPU１１の指令に基づいて、画像情報を係員が確認することができる大きさに表示する。係員は、表示部１９に表示された画像情報を確認し、ゲート開閉ボタンを操作して利用者を通行させる。この場合、通行IDの画像情報は、１日毎などの所定時間毎に変更されて通行IDを要求する利用者に発行される。
【０２５２】
また、非接触IDタグを利用した通行制御システムにおいて、通行IDは、使用回数が設定されているとしたが、必ずしもこの組み合わせに限定されるものではない。すなわち、手入力により利用者が入力する通行IDに使用回数が複数回設定されるようにしても良い。
【０２５３】
さらに、本発明は、テーマパーク、および高速道路のゲートだけでなく、様々な料金回収が必要なゲート、例えば、駅の改札口、映画館の入場口などに適用することができる。
【０２５４】
管理装置に対して通信端末の固有IDなどの必要情報を送信することにより、自動販売機などの料金回収に本発明を適用することもできる。
【０２５５】
また、双方向の無線通信方式（例えばブルートゥース（商標））を利用することによりゲート制御装置は、ゲートに近づいた利用者の通信端末から通信端末の固有IDを取得することができる。
【０２５６】
【発明の効果】
本発明の通行制御装置および通行制御方法によれば、歩行者が迅速にゲートを通行できる、簡易で安価なシステムを実現できる。
【図面の簡単な説明】
【図１】本発明を適用したゲート管理システムの構成例を示す図である。
【図２】図１の通信端末の構成例を示すブロック図である。
【図３】図１の管理装置の構成例を示すブロック図である。
【図４】図１のゲート制御装置の構成例を示すブロック図である。
【図５】図１の課金サーバの構成例を示すブロック図である。
【図６】図１の通信端末の処理を説明するフローチャートである。
【図７】図１の管理装置の処理を説明するフローチャートである。
【図８】図１の管理装置の処理を説明する図７に続くフローチャートである。
【図９】  図１のゲート制御装置の処理を説明するフローチャートである。
【図１０】図１の課金サーバの処理を説明するフローチャートである。
【図１１】本発明を適用した他のゲート管理システムの構成例を示す図である。
【図１２】図１１の通信端末の処理を説明するフローチャートである。
【図１３】図１１の管理装置の処理を説明するフローチャートである。
【図１４】図１１の管理装置の処理を説明する図１３に続くフローチャートである。
【図１５】図１１の入口ゲート制御装置の処理を説明するフローチャートである。
【図１６】図１１の出口ゲート制御装置の処理を説明するフローチャートである。
【図１７】図１の他の通信端末の構成例を示すブロック図である。
【図１８】図１の他のゲート制御装置の構成例を示すブロック図である。
【図１９】図１の他の通信端末の処理を説明するフローチャートである。
【図２０】図１の他の通信端末の処理を説明する図１９に続くフローチャートである。
【図２１】図１８の他のゲート制御装置を管理する管理装置の処理を説明するフローチャートである。
【図２２】図１８の他のゲート制御装置を管理する管理装置の処理を説明する図２１に続くフローチャートである。
【図２３】  図１８の他のゲート制御装置の処理を説明するフローチャートである。
【図２４】図１のさらに他のゲート制御装置の構成を示すブロック図である。
【符号の説明】
１  通信端末
２  管理装置
３−１乃至３−３  ゲート制御装置
５−１乃至５−３  入口ゲート制御装置
６−１乃至６−３  出口ゲート制御装置
１１  CPU
１２  ROM
１３  RAM
１４  バス
１５  入出力インタフェース
１６  通信部
１７  入力部
１８  音声入出力部
１９  表示部
２０  位置検出部
２１  記憶部
２２  非接触通信部
３１  CPU
３２  ROM
３３  RAM
３４  バス
３５  入出力インタフェース
３６  通信部
３７  記憶部
５１  制御部
５２  入力部
５３  表示部
５４  ゲート駆動部
５５  センサ
５６  通信部
５７  リーダライタ部
５８  記憶部
【図１】
0003894274.tif 000002
【図２】
0003894274.tif 000003
【図３】
0003894274.tif 000004
【図４】
0003894274.tif 000005
【図５】
0003894274.tif 000006
【図６】
0003894274.tif 000007
【図７】
0003894274.tif 000008
【図８】
0003894274.tif 000009
【図９】
0003894274.tif 000010
【図１０】
0003894274.tif 000011
【図１１】
0003894274.tif 000012
【図１２】
0003894274.tif 000013
【図１３】
0003894274.tif 000014
【図１４】
0003894274.tif 000015
【図１５】
0003894274.tif 000016
【図１６】
0003894274.tif 000017
【図１７】
0003894274.tif 000018
【図１８】
0003894274.tif 000019
【図１９】
0003894274.tif 000020
【図２０】
0003894274.tif 000021
【図２１】
0003894274.tif 000022
【図２２】
0003894274.tif 000023
【図２３】
0003894274.tif 000024
【図２４】
0003894274.tif 000025